(57)【要約】【課題】簡単な作業で、確実に組み付けることができ、また必要に応じて取り外すことも可能であるディスク装置における緩衝部材の取付構造を提供すること。また、組み付け時又は組み付け後の緩衝部材の位置ズレによる可動光学系の位置精度への悪影響を低減できるディスク装置における緩衝部材の取付構造を提供すること。【解決手段】ディスク状の記録媒体を走査することにより情報を記録再生するキャリッジ１５と、キャリッジ１５を保持するベース２と、キャリッジ１５の移動範囲の少なくとも一端に固定される緩衝部材３とを有するディスク装置にける緩衝部材の取付構造である。緩衝部材３はキャリッジ１５が移動する方向に対して垂直な方向に貫通孔（挿通孔）１９を有している。この緩衝部材３は貫通孔１９に挿入されることにより緩衝部材３をベース部２に位置決め固定する固定ピン１７に固定される。【選択図】  図１
2004206836.tif 000002
【特許請求の範囲】
【請求項１】
ディスク状の記録媒体を走査することにより情報を記録再生するキャリッジと、該キャリッジを保持するベースと、前記キャリッジの移動範囲の少なくとも一端に固定される緩衝部材と、を有するディスク装置において、
前記緩衝部材はキャリッジが移動する方向に対して垂直な方向に貫通孔を有し、前記緩衝部材は前記貫通孔に挿入されることにより前記緩衝部材をベース部に位置決め固定する固定ピンに固定されることを特徴とするディスク装置における緩衝部材の取付構造。
【請求項２】
前記緩衝部材は、前記キャリッジと接触する面が、固定ピンを中心とする円の一部を形成して固定されることを特徴とする請求項１記載の緩衝部材の取付構造。
【発明の詳細な説明】
【０００１】
【発明の属する技術分野】
この発明は、情報をディスク状の媒体に記録したり再生したりするためのディスクドライブ装置に用いられる可動光学系のディスクの径方向の駆動を規制するための緩衝部材の取付構造に関する。
【０００２】
【従来の技術】
従来のディスクドライブ装置では、ディスク状の媒体を回転させつつ、キャリッジに搭載された可動光学系をディスクの径方向に移動させて媒体に情報を記録したり、媒体に記録された情報を読み取ったりしている。
【０００３】
このようなディスクドライブ装置では、例えば、図５に示すように、不図示の可動光学系を媒体面に沿って直進案内する一対のレール１（図では一方のみ）を備え、該レール１はベース２により支持されている。また、このレール１の両端（図では片端）付近には、キャリッジの移動範囲を制限する弾性部材からなる緩衝部材３が配置されている。
【０００４】
ここで、図１においては、ベース２には、キャリッジを駆動させる磁気回路４を固定するための一対のネジ孔５、６およびレール１を固定するためのエル字型の固定面７ａと緩衝部材３を貼付して固定するための貼付面７ｂを備えたレール固定部７が設けられている。また、磁気回路４には、固定用の貫通孔４ａ，４ａが貫通されている。
【０００５】
レール１がレール固定面７ａに載置された状態で、固定ネジ８，１０によりレール固定板９の挿通孔９ａ、貫通孔４ａを挿通してネジ孔６，５に固定される。これにより、レール１はレール固定板９に基づく弾性に付勢された状態でレール固定板９及び固定面７ａ，７ａの３点支持により固定される。
【０００６】
ついで、緩衝部材３は背面３ａに貼付された両面粘着テープ１１を介して緩衝部材貼付部７ｂに固定される。
【０００７】
このようなディスクドライブ装置では、レール１により案内されて可動光学系が媒体面に沿って径方向に移動するが、その移動範囲がレール１の両端付近に配置された緩衝部材３により規制される。この緩衝部材３は弾性部材から構成されているので、可動光学系を搭載したキャリッジが衝突した際の衝撃を吸収する。
【０００８】
また、このような緩衝部材を簡単な作業で且つ確実に固定することも提案されている。
【０００９】
例えば、緩衝部材に係合凸部を形成すると共にベースにその係合凸部に係合する凹部を形成し、凹凸係合により緩衝部材をベースに取り付けるように構成した緩衝部材の取付構造が知られている（例えば、特許文献１参照。）。
【００１０】
また、ベース部材に対して緩衝部材を押圧する固定プレートを設けると共に、固定プレートと緩衝部材が互いに係合し合うように構成した緩衝部材の取付構造も提案されている（例えば、特許文献２参照。）。
【００１１】
【特許文献１】
特開２００２−２０７８５５号公報（図３及び請求項１）
【特許文献２】
特開２００２−２０７８５６号公報（図３及び請求項１）
【００１２】
【発明が解決しようとする課題】
しかしながら、特許文献１に記載の取付構造では、ベースとの固定部が弾性部材により形成された凸部なので、衝突の衝撃強度が大きい場合には、この係合凸部に強度的問題があり、実用化されていない。
【００１３】
また、特許文献２に記載の取付構造では、緩衝部材が固定プレートと係合し合う状態で固定する作業が複雑で、同様に実用化されていない。
【００１４】
また、図５に示す実用化されている取付構造でも、緩衝部材は粘着材により貼付されているので、装置メンテナンス時の部品交換が困難であるという課題がある。
【００１５】
また、緩衝部材としてシリコーンゴムを採用する場合には、緩衝部材を接着するための接着剤がシリコーンゴムにつきにくい。これにより、緩衝部材の接着貼付時に位置ズレが発生したり、また、キャリッジ衝突による衝撃により可動光学系に位置ズレが発生し、可動光学系の位置精度が不安定となるという課題もある。また、キャリッジが緩衝部材へ衝突した衝撃により緩衝部材が剥がれることもある。
【００１６】
そこで、この発明は、簡単な作業で、確実に組み付けることができ、また必要に応じて取り外すことも可能であるディスク装置における緩衝部材の取付構造を提供することを目的とする。
【００１７】
また、本発明の更なる目的は、組み付け時又は組み付け後の緩衝部材の位置ズレによる可動光学系の位置精度への悪影響を低減できるディスク装置における緩衝部材の取付構造を提供することにある。
【００１８】
【課題を解決するための手段】
請求項１に記載の発明は、ディスク状の記録媒体を走査することにより情報を記録再生するキャリッジと、該キャリッジを保持するベースと、前記キャリッジの移動範囲の少なくとも一端に固定される緩衝部材と、を有するディスク装置において、前記緩衝部材はキャリッジが移動する方向に対して垂直な方向に貫通孔を有し、前記緩衝部材は前記貫通孔に挿入されることにより前記緩衝部材をベース部に位置決め固定する固定ピンに固定されることを特徴とするディスク装置における緩衝部材の取付構造である。
【００１９】
このように構成すれば、緩衝部材はベースに位置決め固定する固定ピンに挿入されることにより固定されるので、組み立て作業や部品交換が簡単に行える。また、必要に応じて取り外すこともできる。
【００２０】
請求項２記載の発明は、前記緩衝部材は、前記キャリッジと接触する面が、固定ピンを中心とする円の一部を形成して固定されることを特徴とする請求項１記載の緩衝部材の取付構造である。
【００２１】
このように構成することにより、緩衝部材が固定ピンを軸心として回転方向に回転して位置ズレが生じても、緩衝部材がキャリッジと接触する面が固定ピンを中心とする円の一部を形成しているので、キャリッジは常に固定ピンの軸心に向かった位置で緩衝部材の接触面に衝突するので、緩衝部材が回転しても可動光学系の位置精度への悪影響が防止される。
【００２２】
【発明の実施の形態】
以下、本発明の実施の形態について図面に従って説明するが、従来技術と同一乃至は均等な部位部材は同一番号を付して詳細な説明は省略する。
【００２３】
図３は、発明の実施の形態に係る光磁気ディスク装置の本体部の要部を拡大して示す斜視図である。
【００２４】
この図においては符号２は、ハウジングの一部（例えば底部）を構成するアルミニウムなどの軽量金属材料から形成されたベースであり、このベース２には、一端縁側に配置された固定光学系収納部１２と、略中央に配置された不図示の光磁気ディスクを保持して回転させるスピンドルモータ設置部１３を備えている。
【００２５】
このベース２には、磁気ヘッドなどの可動光学系１４を搭載したキャリッジ１５を移動させる一対の磁気回路４，４が固定ネジ８，１０によりレール固定板９を介して固定される。これにより、一対のレール１，１がレール固定板９とエル字型の固定面７ａ，７ａとの３点で支持されて、弾性により固定面７ａに向けて付勢されたレール固定板９の作用により、レール１，１をレール固定部７に確実に固定している。
【００２６】
このレール１，１は、可動光学系１４を光磁気ディスク２の半径方向（外周端と内周端とを結ぶ方向）に移動可能に案内している。なお、以下の説明ではキャリッジ１５の移動方向（スピンドルモータ１３と固定光学系収納部１２とを結ぶ方向）を「前後方向」と定義し、また、スピンドルモータ１３の軸方向を「上下方向」と定義して説明する。
【００２７】
ここで、この発明におけるレール固定部（ベース部材）７は、図１に示すように、レール１の側面１ａを保持するエル字型の固定面７ａと、緩衝部材３を固定するためのベース２の平面方向に平行な（水平な）面から形成される固定部１６を備えている。固定部１６の略中央には上方に向けた圧入穴１６ａが開口され、この圧入穴１６ａは、固定ピン１７を圧入するためのものである。このようなレール固定部７はベース２と一体となって形成されてもよいし、また、ベース２とは別体となって形成されてベース２に固定されていてもよい。
【００２８】
この固定ピン１７は、円柱状のはめ込み胴部１７ａと、その一端に形成された脱落防止用のフランジ状の頭部１７ｂと、他端に形成されたはめ込み胴部１７ａに比べて小径であり、圧入穴１６ａより僅かに大きい直径を有する円柱状の尾部（圧入部）１７ｃとを備えている。
【００２９】
一方、この発明で用いられる緩衝部材３は、前面３ｄに可動光学系４へ接触する円弧状の接触面１８ａを有する凸状接触部１８を備え、背面３ｃと両側面３ｅ，３ｅとは平面視方形のブロックである。その上面３ａと下面３ｂとは互いに略平行に保たれ、その上下面３ａ、３ｂに直交して貫通する挿通孔１９が形成され、この挿通孔１９の軸心Ｏは、凸状接触部１８の接触面１８ａの円弧の中心軸と同軸である。
【００３０】
ここで、この挿通孔１９の内径は、はめ込み胴部１７ａの外径と同一又は僅かに広く設計され、上下面３ａ、３ｂ間の間隔ははめ込み胴部１７ａの長さと大略等しいか若しくは短く形成されている。
【００３１】
これにより、圧入穴１６ａに尾部１７ｃを圧入により嵌め込むシマリハメにより固定部１６に固定ピン１７を固定することができる。ついで、緩衝部材３の挿通孔１９を弾性的に拡張させて固定ピン１７の頭部１７ｂから固定ピン１７に挿通させると、緩衝部材３は、上下面３ａ、３ｂがフランジ状の頭部１７ｂと固定部１６との間に挟持された状態で、はめ込み胴部１７ａに挿通孔１９を挿嵌した状態で固定される（図２）。
【００３２】
この状態で、緩衝部材３は、固定面７ａを形成するブロックの前面３ｄをキャリッジ１５に向けて、前後方向に配置される一対の緩衝部材３は、互いの前面３ｄ，３ｄが相対向されている。また、緩衝部材３の円弧状の外周面（接触面）１８ａの中心軸と固定ピン１７の中心軸とは、挿通孔１９の軸心Ｏを中心として同軸である。
【００３３】
以下にこのように構成された緩衝部材の固定構造の作用効果について説明する。
このように構成すれば、図４に示すように、可動光学系１４を搭載したキャリッジ１５が前後方向に移動した場合、緩衝部材３に衝突してキャリッジ１５は移動範囲が制限され、この緩衝部材３は、可動光学系の移動範囲を制限するストッパとして機能される。
【００３４】
この場合、この緩衝部材３は、弾性部材により構成されているので、自身の弾性により緩衝部材３にキャリッジ１５が当接した際の衝撃が吸収される。
【００３５】
また、キャリッジ１５がこの緩衝部材３に繰り返して衝突すると緩衝部材３が図４の２点鎖線で示すように凸状接触部１８が左右に振れるが、緩衝部材３が固定ピン１７を軸心として回転方向に位置ズレを生じても、緩衝部材３の可動光学系と接触する接触面１８ａの形状が固定ピン１７を中心とする円の一部を形成しているので、キャリッジ１５は常に固定ピン１７の軸心Ｏに向かった位置で緩衝部材３の接触面１８ａに衝突するので、位置精度への悪影響が防止される。
【００３６】
緩衝部材３を交換する際には、挿通孔１９を自身の弾性により拡径して頭部１７ｂから取り付け又は取り外すことができるので、簡単な操作により緩衝部材３を取り替えることができる。
【００３７】
交換後は、固定ピン１７の軸心Ｏと外周面（接触面）１８ａの軸心Ｏとが一致するので、位置合わせの必要もない。
【００３８】
これにより、このような形態の緩衝部材は、簡単な操作で緩衝部材の組み付け、交換を行える。また、組み付け後に緩衝部材の位置ズレが生じることがない。
【００３９】
また、固定が接着剤によらない固定であるので、緩衝部材の選択としては、接着性を考慮する必要がなくなり、所望の弾性、耐久性、寸法安定性を備えた適宜の材料を選択することができる。このような材料としては、シリコーンゴム系材料が挙げられる。
【００４０】
シリコーンゴム系材料は、寸法精度が良好であるので、光ディスク装置におけるレール方向の公差に対して衝撃部材３の組み付けに許容される公差を充分に満足することができる。
【００４１】
また、シリコーンゴム系材料は、上述の性能に加えて衝撃吸収材として多用されているブチルゴムに比べて格段に低粘着性であり、光磁気ディスク等の軽量化された可動光学系（光学ヘッド）が搭載されたキャリッジが衝突しても、適度の弾性を備えて衝撃は吸収するが、キャリッジが衝撃部材に粘着することなくスムーズに可動させることができる。
【００４２】
以上、この発明の実施の形態を図面により詳述してきたが、具体的な構成はこの実施の形態に限らず、この発明の要旨を逸脱しない範囲の設計の変更等があってもこの発明に含まれる。
【００４３】
例えば、以上の説明では、緩衝部材は、前面３ｄ及び接触面１８ａは平面視円弧状であり、両側３ｅ，３ｅ及び背面３ｃは平面視方形であるが、接触面１８ａが回転の軸心Ｏと同心の円弧状であれば、他の面はどのように構成されていてもよい。例えば、全側面が円弧状又は円形の円環状のブロックであってもよいし、両側面３ｅはスペースの問題などにより平面であり、背面３ｃが軸心Ｏと同心の円弧状であってもよい。背面が円弧状となることにより、前面１６ｂが近接していても緩衝部材３の回転の支障となることが無く、緩衝部材３は回転しても歪んだりせずに位置ズレが防止できる。
【００４４】
また、例えば、以上の説明では、固定ピン１７は脱落防止用のフランジ状の頭部１７ｂを備えていたが、脱落防止が不要で有れば、この頭部１７ｂは無い、単なる突起でもよい。
【００４５】
また、固定ピン１７は固定部１６へのシマリハメによっていたが、ねじ込みでもよく、また、ベース２に予め一体成型された突起などであってもよい。
【００４６】
【発明の効果】
請求項１記載の発明によれば、簡単な作業で、確実に組み付けることができ、また必要に応じて取り外すことができるディスク装置における緩衝部材の取付構造を提供することができる。
【００４７】
また、請求項２記載の発明によれば、組み付け時又は組み付け後の緩衝部材の位置ズレによる可動光学系の位置精度への悪影響を低減できるディスク装置における緩衝部材の取付構造を提供することができる。
【図面の簡単な説明】
【図１】本発明の実施の形態に係る緩衝部材の取り付け状況を説明する分解組み立て図である。
【図２】本発明の実施の形態に係る緩衝部材を取付後の断面図である。
【図３】本発明の実施の形態に係る光磁気ディスク装置の要部の組み立て状況を拡大して示す斜視図である。
【図４】本発明の実施の形態に係る緩衝部材による効果を平面図により説明する図である。
【図５】従来の緩衝部材の取り付け状況を説明する分解組み立て図である。
【符号の説明】
１：レール
２：ベース（ベース部）
３：衝撃部材
４：磁気回路
４ａ：貫通孔
５：ネジ孔
６：ネジ孔
７：レール固定部（ベース部材）
７ａ：固定面
７ｂ：貼付面
８：固定ネジ
９：レール固定板
９ａ：挿通孔
１０：固定ネジ
１１：両面粘着テープ
１２：固定光学系収納部
１３：スピンドルモータ設置部
１４：可動光学系
１５：キャリッジ
１６：固定部
１６ａ：圧入穴
１７：固定ピン
１７ａ：はめ込み胴部
１７ｂ：頭部
１７ｃ：尾部（圧入部）
１８：凸状接触部
１８ａ：外周面（接触面）
１９：挿通孔（貫通孔）
【図１】
2004206836.tif 000003
【図２】
2004206836.tif 000004
【図３】
2004206836.tif 000005
【図４】
2004206836.tif 000006
【図５】
2004206836.tif 000007